(57)【要約】【課題】原稿受け台の上に排出される原稿の排出位置のバラツキを低減することができる技術を提供する。【解決手段】本発明の原稿送り装置は、原稿を搬送する搬送手段（４１，４２，４３，４４）と、搬送手段によって搬送された原稿を排出する排出手段（４５）と、排出手段によって排出された原稿を受ける部分に凸状の原稿乗り上げ部を有する原稿受け台（３９）と、原稿乗り上げ部の頂部の近傍で、排出手段によって排出されて原稿乗り上げ部に乗り上げた原稿の上面に接触し、かつ当該接触状態で原稿を上から押さえる原稿押さえ部材（４６）とを備える。【選択図】図２
2014209770.tif 000002
【特許請求の範囲】
【請求項１】
原稿を搬送する搬送手段と、
前記搬送手段によって搬送された原稿を排出する排出手段と、
前記排出手段によって排出された原稿を受ける部分に凸状の原稿乗り上げ部を有する原稿受け台と、
前記原稿乗り上げ部の頂部の近傍で、前記排出手段によって排出されて当該原稿乗り上げ部に乗り上げた原稿の上面に接触し、かつ当該接触状態で原稿を上から押さえる原稿押さえ部材と
を備える原稿送り装置。
【請求項２】
原稿を搬送する搬送手段と、
前記搬送手段によって搬送された原稿を排出する排出手段と、
前記排出手段によって排出された原稿を受ける部分に凸状の原稿乗り上げ部を有する原稿受け台と、
前記原稿乗り上げ部の頂部とほぼ同じ位置に配置され、前記排出手段によって排出されて当該原稿乗り上げ部に乗り上げた原稿の上面に接触し、かつ当該接触状態で原稿を上から押さえる原稿押さえ部材と
を備える原稿送り装置。
【請求項３】
原稿を搬送する搬送手段と、
前記搬送手段によって搬送された原稿を排出する排出手段と、
前記排出手段によって排出された原稿を受ける部分に凸状の原稿乗り上げ部を有する原稿受け台と、
前記原稿乗り上げ部の頂部よりも原稿の排出方向の下流に配置され、前記排出手段によって排出されて当該原稿乗り上げ部に乗り上げた原稿の上面に接触し、かつ当該接触状態で原稿を上から押さえる原稿押さえ部材と
を備える原稿送り装置。
【請求項４】
前記乗り上げ部は、前記原稿排出方向において、原稿の先端が前記原稿押さえ部材に接触する位置と接触後に非接触になる位置との間で凸状となっていることを特徴とする
請求項１から３のいずれかに記載の原稿送り装置。
【請求項５】
前記頂部は、前記原稿排出方向において、原稿の先端が前記原稿押さえ部材に接触する位置と接触後に非接触になる位置との間に位置することを特徴とする
請求項１から３のいずれかに記載の原稿送り装置。
【請求項６】
前記原稿乗り上げ部は、原稿幅方向に所定の間隔をあけて複数形成され、
前記原稿押さえ部材は、隣り合う２つの前記原稿幅方向の間に位置するように配置されている
請求項１から３のいずれかに記載の原稿送り装置。
【請求項７】
前記搬送手段は、原稿の原稿幅方向の中心を基準に原稿を搬送するセンター基準方式であって、
前記原稿押さえ部材は、原稿幅方向の中心位置に１個配置されている
請求項６に記載の原稿送り装置。
【請求項８】
前記原稿押さえ部材は、前記原稿乗り上げ部の上方に設けられた回転支点部を中心に揺動自在に支持されている
請求項１から７のいずれかに記載の原稿送り装置。
【請求項９】
前記原稿押さえ部材は、前記原稿の押し込み力を受けて、前記回転支点部を中心に揺動する
請求項８記載の原稿送り装置。
【請求項１０】
前記原稿押さえ部材は、全体的に舌状に形成されるとともに、前記原稿に接触する側と反対側の面に貼り付けられた錘体を有する
請求項１から９のいずれかに記載の原稿送り装置。
【請求項１１】
前記錘体は、緩衝性を有する部材からなる
請求項１０記載の原稿送り装置。
【請求項１２】
原稿を搬送する搬送手段と、
前記搬送手段によって搬送された原稿の画像を読み取る読取手段と、
前記搬送手段によって搬送されかつ前記読取手段によって画像が読み取られた原稿を排出する排出手段と、
前記排出手段によって排出された原稿を受ける部分に凸状の原稿乗り上げ部を有する原稿受け台と、
前記原稿乗り上げ部の頂部の近傍で、前記排出手段によって排出されて当該原稿乗り上げ部に乗り上げた原稿の上面に接触し、かつ当該接触状態で原稿を上から押さえる原稿押さえ部材と
を備える画像読取装置。
【請求項１３】
原稿を搬送する搬送手段と、前記搬送手段によって搬送された原稿の画像を読み取る読取手段と、前記搬送手段によって搬送されかつ前記読取手段によって画像が読み取られた原稿を排出する排出手段と、前記排出手段によって排出された原稿を受ける部分に凸状の原稿乗り上げ部を有する原稿受け台と、前記原稿乗り上げ部の頂部の近傍で、前記排出手段によって排出されて当該原稿乗り上げ部に乗り上げた原稿の上面に接触し、かつ当該接触状態で原稿を上から押さえる原稿押さえ部材とを備える画像読取装置と、
前記画像読取装置の前記読取手段によって読み取られた原稿の画像に基づいて、記録媒体に画像を形成する画像形成部と
を具備する画像形成装置。
【発明の詳細な説明】
【技術分野】
【０００１】
本発明は、原稿送り装置、画像読取装置及び画像形成装置に関する。
【背景技術】
【０００２】
特許文献１及び特許文献２には、それぞれ、原稿載置台にセットされた原稿を１枚ずつ分離して搬送するとともに、当該搬送中の原稿の画像を複数のミラー、結像レンズ及びＣＣＤ(Charge Coupled Device)を用いて読み取った後、原稿排紙台（排出トレイ）の上に原稿を排出する原稿送り装置を備えた画像形成装置が開示されている。
【先行技術文献】
【特許文献】
【０００３】
【特許文献１】特開２００３−１３４３０９号公報
【特許文献２】特開２００９−６７５５９号公報
【発明の概要】
【発明が解決しようとする課題】
【０００４】
本発明の課題は、原稿受け台の上に排出される原稿の排出位置のバラツキを低減することができる技術を提供することにある。
【課題を解決するための手段】
【０００５】
請求項１に記載の発明は、原稿を搬送する搬送手段と、前記搬送手段によって搬送された原稿を排出する排出手段と、前記排出手段によって排出された原稿を受ける部分に凸状の原稿乗り上げ部を有する原稿受け台と、前記原稿乗り上げ部の頂部の近傍で、前記排出手段によって排出されて当該原稿乗り上げ部に乗り上げた原稿の上面に接触し、かつ当該接触状態で原稿を上から押さえる原稿押さえ部材とを備える原稿送り装置に係るものである。
【０００６】
請求項２に記載の発明は、原稿を搬送する搬送手段と、前記搬送手段によって搬送された原稿を排出する排出手段と、前記排出手段によって排出された原稿を受ける部分に凸状の原稿乗り上げ部を有する原稿受け台と、前記原稿乗り上げ部の頂部とほぼ同じ位置に配置され、前記排出手段によって排出されて当該原稿乗り上げ部に乗り上げた原稿の上面に接触し、かつ当該接触状態で原稿を上から押さえる原稿押さえ部材とを備える原稿送り装置に係るものである。
【０００７】
請求項３に記載の発明は、原稿を搬送する搬送手段と、前記搬送手段によって搬送された原稿を排出する排出手段と、前記排出手段によって排出された原稿を受ける部分に凸状の原稿乗り上げ部を有する原稿受け台と、前記原稿乗り上げ部の頂部よりも原稿の排出方向の下流に配置され、前記排出手段によって排出されて当該原稿乗り上げ部に乗り上げた原稿の上面に接触し、かつ当該接触状態で原稿を上から押さえる原稿押さえ部材とを備える原稿送り装置に係るものである。
【０００８】
請求項４に記載の発明は、前記乗り上げ部は、前記原稿排出方向において、原稿の先端が前記原稿押さえ部材に接触する位置と接触後に非接触になる位置との間で凸状となっていることを特徴とする請求項１から３のいずれかに記載の原稿送り装置に係るものである。
【０００９】
請求項５に記載の発明は、前記頂部は、前記原稿排出方向において、原稿の先端が前記原稿押さえ部材に接触する位置と接触後に非接触になる位置との間に位置することを特徴とする請求項１から３のいずれかに記載の原稿送り装置に係るものである。
【００１０】
請求項６に記載の発明は、前記原稿乗り上げ部は、原稿幅方向に所定の間隔をあけて複数形成され、前記原稿押さえ部材は、隣り合う２つの前記原稿幅方向の間に位置するように配置されている請求項１から３のいずれかに記載の原稿送り装置に係るものである。
請求項７に記載の発明は、前記搬送手段は、原稿の原稿幅方向の中心を基準に原稿を搬送するセンター基準方式であって、前記原稿押さえ部材は、原稿幅方向の中心位置に１個配置されている請求項６に記載の原稿送り装置に係るものである。
【００１１】
請求項８に記載の発明は、前記原稿押さえ部材は、前記原稿乗り上げ部の上方に設けられた回転支点部を中心に揺動自在に支持されている請求項１から７のいずれかに記載の原稿送り装置に係るものである。
請求項９に記載の発明は、前記原稿押さえ部材は、前記原稿の押し込み力を受けて、前記回転支点部を中心に揺動する請求項８記載の原稿送り装置に係るものである。
【００１２】
請求項１０に記載の発明は、前記原稿押さえ部材は、全体的に舌状に形成されるとともに、前記原稿に接触する側と反対側の面に貼り付けられた錘体を有する請求項１から９のいずれかに記載の原稿送り装置に係るものである。
請求項１１に記載の発明は、前記錘体は、緩衝性を有する部材からなる請求項１０記載の原稿送り装置に係るものである。
【００１３】
請求項１２に記載の発明は、原稿を搬送する搬送手段と、前記搬送手段によって搬送された原稿の画像を読み取る読取手段と、前記搬送手段によって搬送されかつ前記読取手段によって画像が読み取られた原稿を排出する排出手段と、前記排出手段によって排出された原稿を受ける部分に凸状の原稿乗り上げ部を有する原稿受け台と、前記原稿乗り上げ部の頂部の近傍で、前記排出手段によって排出されて当該原稿乗り上げ部に乗り上げた原稿の上面に接触し、かつ当該接触状態で原稿を上から押さえる原稿押さえ部材とを備える画像読取装置に係るものである。
【００１４】
請求項１３に記載の発明は、原稿を搬送する搬送手段と、前記搬送手段によって搬送された原稿の画像を読み取る読取手段と、前記搬送手段によって搬送されかつ前記読取手段によって画像が読み取られた原稿を排出する排出手段と、前記排出手段によって排出された原稿を受ける部分に凸状の原稿乗り上げ部を有する原稿受け台と、前記原稿乗り上げ部の頂部の近傍で、前記排出手段によって排出されて当該原稿乗り上げ部に乗り上げた原稿の上面に接触し、かつ当該接触状態で原稿を上から押さえる原稿押さえ部材とを備える画像読取装置と、前記画像読取装置の前記読取手段によって読み取られた原稿の画像に基づいて、記録媒体に画像を形成する画像形成部とを具備する画像形成装置に係るものである。
【発明の効果】
【００１５】
請求項１乃至７に記載の発明によれば、本構成を有しない場合に比べて、原稿受け台上で原稿乗り上げ部に乗り上げるように排出される原稿の排出位置のバラツキを低減することができる。
【００１６】
請求項８及び９に記載の発明によれば、本構成を有していない場合に比べて、原稿押さえ部材との接触によって原稿に加わる負荷を低減することができる。
【００１７】
請求項１０に記載の発明によれば、原稿押さえ部材が原稿の上面に接触するときの接触圧を、錘体の質量をパラメータとして自在に調整することができる。
【００１８】
請求項１１に記載の発明によれば、原稿押さえ部材を原稿の上面に安定的に接触させることができる。
【００１９】
請求項１２に記載の発明によれば、本構成を有しない場合に比べて、画像の読み取りを終えて原稿受け台上で原稿乗り上げ部に乗り上げるように排出される原稿の排出位置のバラツキを低減した画像読取装置を提供することができる。
【００２０】
請求項１３に記載の発明によれば、本構成を有しない場合に比べて、画像の読み取りを終えて原稿受け台上で原稿乗り上げ部に乗り上げるように排出される原稿の排出位置のバラツキを低減した画像読取装置を備える画像形成装置を提供することができる。
【図面の簡単な説明】
【００２１】
【図１】本発明が適用される画像形成装置の構成例を示す概略図である。
【図２】本発明の実施の形態に係る画像読取装置の構成例を示す側面概略図である。
【図３】原稿押さえ部材と原稿排出トレイとの位置関係を示す側断面図である。
【図４】原稿押さえ部材を正面斜め上方から見た図である。
【図５】原稿排出時の動作を説明する図（その１）である。
【図６】原稿排出時の動作を説明する図（その２）である。
【図７】原稿排出時の動作を説明する図（その３）である。
【発明を実施するための形態】
【００２２】
以下、本発明の具体的な実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００２３】
（画像形成装置の構成）
図１は本発明が適用される画像形成装置の構成例を示す概略図である。この画像形成装置１は、大きくは、原稿送り装置を有する画像読取装置２と、画像形成装置本体３とを備えている。画像読取装置２の構成については後段で説明する。
【００２４】
画像形成装置本体３は、画像読取装置２が原稿から読み取った画像情報や、外部の端末装置等から印刷指示を受けた画像情報を、用紙等の記録媒体に印刷出力する機能を内蔵している。画像形成装置本体３の内部には、記録媒体としての用紙を収容する用紙トレイ部４と、実際に記録媒体に対して画像の形成を行なう画像形成部５とが設けられている。
【００２５】
画像形成部５は、レーザ走査ユニット１０と、感光体ドラム１１とを有している。感光体ドラム１１の周囲には、感光体ドラム１１の表面を予め設定された電位に帯電する帯電器１２と、レーザ走査ユニット１０によって感光体ドラム１１の表面に書き込まれた静電潜像をトナー像に現像する現像ユニット１３と、トナー像を用紙に転写する転写ユニット１４と、用紙に転写されなかった残留トナーを感光体ドラム１１から取り除くクリーナ１６などが配置されている。
【００２６】
感光体ドラム１１は、図示しないモータの駆動によって図示矢印方向に回転駆動される。その際、帯電器１２は、感光体ドラム１１の表面を一様に帯電させる。また、レーザ走査ユニット１０は、レーザ出力部１０ａでレーザビームを発生させるとともに、このレーザビームを画像データにしたがって点滅（変調）させる。こうしてレーザ出力部１０ａから出射されたレーザビームは、ポリゴンミラー１０ｂ、ｆ／θレンズ１０ｃ及び反射レンズ１０ｄを介して感光体ドラム１１の表面に照射されるとともに、ポリゴンミラー１０ｂの回転にしたがって感光体ドラム１１の軸方向に走査される。これにより、感光体ドラム１１上には、画像情報に対応した静電潜像が形成される。
【００２７】
こうして感光体ドラム１１に形成された静電潜像は、現像ユニット１３によってトナー像に現像され、かつこのトナー像が転写ユニット１４によって用紙に転写される。このとき、用紙に転写されずに感光体ドラム１１に残ったトナー（残留トナー）はクリーナ１６によって除去される。また、クリーナ１６で清浄化された感光体ドラム１１の表面は、帯電器１２によって再び帯電された後、このドラム表面にレーザ走査ユニット１０の駆動によって他の色の静電潜像の書き込みが順に行われる。
【００２８】
現像ユニット１３は、イエロー用現像器１３Ｙ、シアン用現像器１３Ｃ、マゼンタ用現像器１３Ｍ及びブラック用現像器１３Ｋを一体に有するロータリー式の現像ユニットとなっている。各々の現像器１３Ｙ、１３Ｃ、１３Ｍ、１３Ｋは、現像ユニット１３の回転軸周りに配置されている。そして、例えば、感光体ドラム１１上の静電潜像をイエローのトナー像に現像するときは、感光体ドラム１１と対向（近接）する位置（図の状態）にイエロー用現像器１３Ｙを配置し、このイエロー用現像器１３Ｙからイエロートナーを感光体ドラム１１の表面に供給する。また、シアンのトナー像に現像するときは、現像ユニット１３をほぼ９０°回転させて、感光体ドラム１１と対向する位置にシアン用現像器１３Ｃを配置する。同様に、マゼンタのトナー像に現像するときは、感光体ドラム１１と対向する位置にマゼンタ用現像器１３Ｍを配置し、ブラックのトナー像に現像するときは、感光体ドラム１１と対向する位置にブラック用現像器１３Ｋを配置する。
【００２９】
転写ユニット１４は転写ドラム１５を有している。転写ドラム１５の外周には誘電体のフィルムからなる用紙保持体が巻かれている。転写ドラム１５は、専用の電動モータ又は感光体ドラム１１の回転駆動系と歯車によって連結され、図示矢印の方向に回転駆動される。転写ドラム１５の周囲には、転写用帯電器１７、分離用放電器１８、トナー電荷制御用帯電器１９、剥離爪２０、除電器２１、クリーナ２２、押し付けロール２３及び吸着用帯電器２５が配置されている。そして、用紙トレイ部４から給紙ロール４ａ、給紙ガイド４ｂを経て搬送される用紙は、画像（トナー像）とのタイミング合わせのためにレジ位置４ｃで待機した後、予め設定されたタイミングで転写ドラム１５まで搬送され、吸着用帯電器２５のコロナ放電により誘電体のフィルムに吸着される。
【００３０】
転写ドラム１５は、感光体ドラム１１と同期して回転する。転写ドラム１５の外周に巻き付けられた用紙には、例えばイエロートナーで現像されたトナー像が転写用帯電器１７により転写され、さらに、転写ドラム１５の回転により順次他の色（シアン、マゼンタ、ブラック）のトナー像が転写（重ね転写）される。転写ドラム１５が４回転して４色分のトナー像が用紙に転写されると、転写ドラム１５の内側及び外側に設けられた分離用放電器１８によりＡＣ除電される。これにより、用紙は剥離爪２０により分離され、搬送ベルト２７により定着器２９に送られる。
【００３１】
定着器２９では、熱圧ロール３０によりトナー像が用紙に溶融定着される。これにより、カラー画像の形成に係る用紙１枚分の画像形成サイクルが終了となる。ちなみに、白黒画像を形成する場合は、ブラック用現像器１３Ｋを用いた１回の現像処理だけで対応できるため、カラー画像を形成する場合に比べて画像形成サイクルが短くなる。
【００３２】
（画像読取装置の構成）
図２は本発明の実施の形態に係る画像読取装置の構成例を示す側面概略図である。
【００３３】
図示した画像読取装置２は、読取手段を内蔵する画像読取装置本体３１と、この画像読取装置本体３１上でヒンジ機構等により開閉自在に支持された原稿押さえカバー３２とを備えている。画像読取装置３１の上面部には、第１の原稿読取台３３と第２の原稿読取台３４が並んで配置されている。これら第１，第２の原稿読取台３３，３４は、いずれも光透過性を有するガラス（透明ガラス等）を用いて構成されている。
【００３４】
原稿押さえカバー３２は、第１の原稿読取台３３上にセットされる原稿を上から押さえるときに使用者によって開閉操作されるものである。この原稿押さえカバー３２には、原稿セット部３５と原稿排出部３６とを有する原稿送り装置３７が設けられている。
【００３５】
原稿セット部３５は、画像を読み取る前（換言すると、画像の読み取り対象）の原稿（原稿束）がセットされる部分である。原稿セット部３５には原稿供給トレイ３８が設けられている。原稿は、この原稿供給トレイ３８の上に置かれる。
【００３６】
原稿排出部３６は、画像の読み取りを終えた原稿が排出される部分である。原稿排出部３６には、原稿受け台の一例としての原稿排出トレイ３９が設けられている。原稿セット部３５と原稿排出部３６は、上下の位置関係に配置されている。
【００３７】
原稿送り装置３７は、原稿セット部３５の原稿供給トレイ３８に置かれた原稿を１枚ずつ分離して主搬送路Ｒに沿って搬送するとともに、この搬送した原稿を第２の原稿読取台３４上で移動させた後、最終的に原稿排出部３６に向けて排出するものである。
【００３８】
原稿送り装置３７には、原稿を搬送する搬送手段の一例として、繰り出しロール４１、搬送ロール４２、レジストロール４３及び搬送ロール４４が設けられている。さらに、原稿送り装置３７には、排出手段の一例としての排出ロール４５が設けられている。
【００３９】
繰り出しロール４１は、原稿供給トレイ３８の上に置かれた原稿を主搬送路Ｒに向けて繰り出すものである。搬送ロール４２は、繰り出しロール４１によって繰り出された原稿を主搬送路Ｒに沿ってレジストロール４３へと搬送するものである。
【００４０】
レジストロール４３は、搬送ロール４３によって搬送された原稿を第２の原稿読取台３４上に送り出すものである。搬送ロール４４は、レジストロール４３の送り出しによって第２の原稿読取台３４上を通過した原稿を受け取って排出ロール４５へと搬送するものである。
【００４１】
排出ロール４５は、搬送ロール４４によって搬送された原稿を受け取るとともに、受け取った原稿を原稿排出部３６に向けて排出するものである。原稿排出トレイ３９は、排出ロール４５によって原稿排出部３６へと排出された原稿を受け取るものである。原稿排出部３６には原稿押さえ部材４６が設けられている。
【００４２】
（原稿押さえ部材の構成）
図３は原稿押さえ部材と原稿排出トレイとの位置関係を示す側断面図であり、図４は原稿押さえ部材を正面斜め上方から見た図である。
【００４３】
原稿押さえ部材４６は、全体的に舌状に形成されている。原稿押さえ部材４６は、重力の作用する鉛直軸に対して上記原稿供給トレイ３８から斜め下方に垂れ下がった状態で配置されている。原稿押さえ部材４６の下端部は原稿排出トレイ３９の上面に接触している。
【００４４】
原稿押さえ部材４６は、軸部４７を一体に有する基部４８と、舌片４９と、錘体５０とを有している。基部４８は、例えば、硬質の樹脂によって形成されている。軸部４７は断面円形に形成されている。軸部４７は、基部４８の両側に突出する状態で設けられている。このため、基部４８は正面視略Ｔ字形に形成されている。基部４８の軸部４７を除く部分は板状に形成されている。基部４８には突起５１が一体に設けられている。突起５１は、基部４８の板状の部分から厚み方向に突出している。
【００４５】
舌片４９は、樹脂製の薄板状に形成されている。舌片４９は、例えば、ポリプロピレン、ポリイミドなどの樹脂製のフィルムを用いて構成される。舌片４９の表面は、凹凸のない平滑な面となっている。
【００４６】
舌片４９には上記基部４８の突起５１に対応した貫通穴が設けられている。そして、この貫通穴を突起５１に嵌め込んだ状態で、舌片４９の片面の一部が基部４８の板状部分に接着剤等で貼り付けられている。舌片４９は、自身のもつ可撓性により、やや円弧状に反った状態で原稿排出トレイ３９の上に載っている。
【００４７】
錘体５０は、基部４８と反対側で、舌片４９の片面に貼り付けられている。錘体５０は、緩衝性を有する部材の一例として、ゴム状弾性を有する帯板状の部材で構成されている。錘体５０は、舌片４９よりも肉厚に形成されている。また、錘体５０は、舌片４９と一体になって、やや円弧状に反っている。
【００４８】
錘体５０には上記基部４８の突起５１に対応した貫通穴が設けられている。そして、この貫通穴を突起５１に嵌め込んだ状態で、錘体５０の片面が舌片４９の片面に接着剤等で貼り付けられている。また、突起５１の位置を基準に舌片４９と錘体５０の長さを比較すると、突起５１の位置から錘体５０の先端部（下端部）５０ａまでの長さは、突起５１の位置から舌片４９の先端部（下端部）４９ａまでの位置よりも短くなっている。このため、突起５１の位置から錘体５０の先端部５０ａまでの範囲では、舌片４９と錘体５０が互いに貼り付いて積層された構造になっているが、錘体５０の先端部５０ａよりも先では舌片４９が単独で延在し、この延在部分の端部が原稿排出トレイ３９の上面に接触している。
【００４９】
舌片４９の上記延在部分は、当該舌片４９の長手方向において、後述する原稿乗り上げ部５２に乗り上げる原稿の上面に接触する側の端部に相当するものとなる。錘体５０は、舌片４９の上記延在部分を除いて、舌片４９の一方の面に貼り付けられている。舌片４９の上記延在部分は、当該舌片４９の先端に向かって当該舌片４９の幅寸法が徐々（連続的）に狭くなる略Ｖ字形の形状に形成されている。ただし、舌片４９の先端部４９ａは、鋭角に尖ることなく、ラウンド形状に形成されている。
【００５０】
上記構成からなる原稿押さえ部材４６において、基部４８と一体をなす軸部４７は、例えば、上記原稿供給トレイ３８に設けられたＵ字形の溝（不図示）に嵌め込まれている。そして、原稿押さえ部材４６は、基部４８の軸部４７を回転支点部として、図中矢印方向に揺動自在に支持されている。また、原稿押さえ部材４６の舌片４９の先端部（下端部）４９ａは、原稿排出トレイ３９の上に原稿が存在しないときは、原稿押さえ部材４６の自重により、原稿排出トレイ３９の上面に接触した状態に保持される。
【００５１】
一方、原稿排出トレイ３９の上面には凸状の原稿乗り上げ部５２が形成されている。原稿乗り上げ部５２は、薄い板状のリブ構造をなすもので、側面視山形に形成されている。原稿乗り上げ部５２は、原稿排出トレイ３９の上に排出される原稿の原稿幅方向に所定の間隔をあけて複数形成されている。上述した基部４８の軸部４７は、この原稿乗り上げ部５２の上方に配置されている。
【００５２】
排出ロール４５によって原稿排出トレイ３９の上に排出される原稿は、原稿乗り上げ部５２に乗り上げるかたちで、上記排出ロール４５の回転にしたがって原稿排出トレイ３９上を図３の左方向から右方向に向かって排出（移動）される。
【００５３】
これに対して、原稿押さえ部材４６は、排出ロール４５によって原稿排出トレイ３９上に排出される原稿に接触するように、当該原稿の移動方向（排出方向）と交差する状態で配置されている。また、原稿押さえ部材４６は、原稿排出トレイ３９における原稿の排出方向において、軸部４７を相対的に上流側に配置し、舌片４９の先端部４９ａを相対的に下流側に配置した状態で、当該舌片４９の先端部４９ａを原稿排出トレイ３９に接触させることにより、原稿の排出方向に対して鋭角をなす斜めの姿勢で配置されている。
【００５４】
さらに、原稿押さえ部材４６は、上記原稿幅方向で隣り合う２つの原稿乗り上げ部５２の間（好ましくは中央）に位置するように配置されている。このため、原稿排出トレイ３９の上に原稿が存在しないときは、原稿押さえ部材４６の下端部が原稿排出トレイ３９の上面３９ａに接触した状態となる。なお、原稿押さえ部材４６は、上記原稿幅方向に１個だけ設けてもよいし、上記原稿幅方向に互いに位置をずらして複数個設けてもよい。また、原稿送り装置３７における原稿の搬送方式として、各種サイズの原稿の原稿幅方向の中心を共通の基準位置に合わせて搬送する、いわゆるセンター基準方式を採用した場合は、原稿の原稿幅方向の中心位置に合わせて１個の原稿押さえ部材４６を配置するか、原稿幅方向の中心位置から左右均等な位置に複数個（例えば、２個）の原稿押さえ部材４６を配置すればよい。
【００５５】
（画像読取装置本体の内部の構成）
画像読取装置本体３１の内部には、原稿の画像を読み取る読取手段の一例として、光学走査系６１、結像レンズ６２及び光電変換素子６３が設けられている。光学走査系６１は、それぞれ副走査方向（図２の左右方向）に移動可能に支持されたフルレートキャリッジ６４とハーフレートキャリッジ６５を用いて構成されている。フルレートキャリッジ６４にはランプ６６と第１ミラー６７が搭載され、ハーフレートキャリッジ６５には第２ミラー６８と第３ミラー６９が搭載されている。
【００５６】
フルレートキャリッジ６４とハーフレートキャリッジ６５は、例えば、互いに共通のキャリッジ移動用モータを駆動源として副走査方向Ｙに移動するものである。その際、ハーフレートキャリッジ６５はフルレートキャリッジ６４の１／２の移動量（移動速度）をもって移動し、これによって副走査方向Ｙのいずれの位置にキャリッジ６４，６５が移動した状態でも、原稿面から光電変換素子６３までの光路長が一定に保持される構成となっている。
【００５７】
ランプ６６は、原稿の被読み取り面に向けて光を照射するもので、その被読み取り面からの反射光が、第１ミラー６７、第２ミラー６８及び第３ミラー６９で順に反射される。結像レンズ６２は、第３ミラー６９によって反射された光を所定の縮小倍率で光電変換素子６３の撮像面に結像させるものである。光電変換素子６３は、原稿の画像を読み取るためのイメージセンサで、例えば３ラインカラーＣＣＤセンサ等によって構成される。この光電変換素子６３は、原稿からの反射光を画素単位で光電変換し、Ｒ（赤），Ｇ（緑），Ｂ（青）のアナログ画像信号（アナログのＲＧＢ信号）を出力する。
【００５８】
（画像読取装置の動作）
続いて、画像読取装置２の動作について説明する。画像読取装置２を用いて原稿の画像を読み取る方式には、次のような２つの方式がある。
【００５９】
（第１の読み取り方式）
第１の読み取り方式は、第１の原稿読取台３３に置かれた原稿の画像を、フルレートキャリッジ６４とハーフレートキャリッジ６５の移動により読み取る方式である。
【００６０】
（第２の読み取り方式）
第２の読み取り方式は、原稿送り装置３７の駆動によって第２の原稿読取台３４上を通過するように原稿を搬送し、当該搬送中の原稿の画像を、フルレートキャリッジ６４とハーフレートキャリッジ６５を停止したまま読み取る方式である。
【００６１】
第２の読み取り方式で原稿の画像を読み取る場合は、まず、原稿供給トレイ３８に置かれた原稿を繰り出しロール４１の回転により主搬送路Ｒに繰り出すとともに、当該原稿を搬送ロール４２の回転により１枚ずつ分離して搬送する。
【００６２】
次に、レジストロール４３の回転により第２の原稿読取台３４に向けて原稿を送り出す。そして、レジストロール４３の回転にしたがって原稿が第２の原稿読取台３４の上を通過するときに、当該原稿の画像を、上述した光学走査系６１、結像レンズ６２及び光電変換素子６３を用いて読み取る。
【００６３】
次に、第２の原稿読取台３４を通過した原稿を搬送ロール４４の回転により搬送するとともに、当該原稿を排出ロール４５の回転により原稿排出トレイ３９の上に排出する。
【００６４】
以上の動作は原稿の片面に記録された画像を読み取る場合の動作である。原稿の両面に記録された画像を読み取る場合は、片面の画像の読み取りを終えた原稿を排出ロール４５で挟み込んだまま、排出ロール４５を逆回転させることにより、当該原稿を再搬送路Ｒａへと送り込む。再搬送路Ｒａは、上述した搬送ロール４２に通じている。このため、再搬送路Ｒａに送り込まれた原稿は、表裏反転した状態で搬送ロール４２に到達する。
【００６５】
また、画像の読み取りを終えた原稿を表裏反転して排出する場合は、当該原稿を排出ロール４５で挟み込んだまま、排出ロール４５を逆回転させることにより、当該原稿を反転排出路Ｒｂに送り込む。反転排出路Ｒｂは、原稿排出部３６に通じている。このため、反転排出路Ｒｂに送り込まれた原稿は、表裏反転した状態で原稿排出トレイ３９の上に排出される。
【００６６】
（原稿の排出動作）
続いて、画像の読み取りを終えた原稿を排出ロール４４によって原稿排出トレイ３９に排出する際の原稿排出部３６の動作について説明する。
【００６７】
まず、排出ロール４４の回転によって排出された原稿の先端は原稿排出トレイ３９の上に着地した後、当該原稿排出トレイ３９上に形成されている原稿乗り上げ部５２に沿って移動する。そして、原稿乗り上げ部５２に沿って移動中に、図５に示すように、原稿７０の先端が原稿押さえ部材４６に接触する（突き当たる）。このとき、原稿７０の先端は原稿押さえ部材４６の舌片４９の表面（錘体５０が貼り付けられている面と反対側の面）に接触した状態となる。
【００６８】
その際、原稿７０の先端が原稿押さえ部材４６の舌片４９に接触する際の衝撃は、錘体５０のもつ緩衝性により緩和される。このため、原稿７０の先端が原稿押さえ部材４６に接触したときの、当該原稿押さえ部材４６の跳ね上がり等が抑制される。また、原稿押さえ部材４６の舌片４９は、表面が平滑な樹脂製の薄板状となっているため、原稿押さえ部材４６の舌片４９との接触によって原稿７０に作用する摺動抵抗が小さくなる。
【００６９】
上述のように原稿７０の先端が原稿押さえ部材４６の舌片４９に接触すると、原稿押さえ部材４６には、排出ロール４５の回転に伴う押し込み力が原稿７０を介して加わる。この押し込み力を受けて原稿押さえ部材４６は、図６に示すように、軸部４７を中心に反時計回り方向に揺動する。つまり、排出ロール４５によって排出される原稿７０に押し出されるようにして原稿押さえ部材４６の先端側（下端側）が持ち上がる。そして、原稿７０の先端が原稿乗り上げ部５２の頂部を通過するときに、当該頂部の近傍で原稿７０の先端が原稿押さえ部材４６の舌片４９に接触した状態となる。
【００７０】
また、排出ロール４５によって排出される原稿７０が原稿押さえ部材４６に接触したときに、原稿７０の移動が原稿押さえ部材４６の姿勢の変化によって許容される。このため、原稿押さえ部材４６が原稿の排出を阻害することがない。
【００７１】
その後、排出ロール４５で排出中の原稿７０の先端が原稿乗り上げ部５２の頂部を過ぎると、あるタイミングでは、原稿７０の先端と原稿押さえ部材４６の舌片４９の先端部（下端部）４９ａの位置が揃った状態となる。そして、その状態から原稿７０がさらに排出されると、図７に示すように、原稿押さえ部材４６の舌片４９の先端部４９ａが原稿７０の上面に接触する状態となる。このとき、原稿押さえ部材４６の舌片４９が原稿７０の上面に接触するときの接触圧は、錘体５０の質量に依存したものとなる。すなわち、錘体５０の質量が多い（重い）と、その分だけ上記接触圧が大きくなり、錘体５０の質量が少ない（軽い）と、その分だけ上記接触圧が小さくなる。
【００７２】
また、上述のように原稿押さえ部材４６の舌片４９の先端部４９ａが原稿７０の上面に接触すると、原稿７０が原稿押さえ部材４６の自重により当該原稿押さえ部材４６によって上から押さえられた状態となる。このため、原稿７０の浮き上がりが抑制される。このとき、原稿押さえ部材４６が原稿７０を押さえる位置は、原稿乗り上げ部５２の頂部とほぼ同じ位置か、それよりも原稿排出方向の下流側の位置となるように、原稿押さえ部材４６を配置してある。
【００７３】
また、排出ロール４５で排出中の原稿７０には、原稿押さえ部材４６の舌片４９との接触によって摺動抵抗が作用する。このため、原稿７０は、当該原稿７０の後端が排出ロール４５を抜けるまで、上記摺動抵抗を受けながら排出ロール４５によって排出される。したがって、原稿７０の後端が排出ロール４５を抜けて当該原稿７０全体が原稿排出トレイ３９の上に載るときの位置（原稿の排出位置）が安定する。その結果、原稿排出トレイ３９の上に排出される原稿７０の排出位置のバラツキが低減する。このため、原稿排出トレイ３９から取り出した原稿（原稿束）７０を手作業で揃えるときの手間が軽くなる。
【００７４】
以上が１枚目の原稿を排出する際の動作である。２枚目以降の原稿を排出する場合は、それに先立って排出された１枚目の原稿の上に、２枚目以降の原稿が順に重ねて排出される。そうした場合、原稿排出部３６で原稿排出トレイ３９の上に排出される原稿７０の枚数が増えると、それにしたがって軸部４７を中心に揺動する原稿押さえ部材５０の姿勢（傾き角度）が変化する。つまり、原稿７０の排出枚数に応じて原稿押さえ部材４６の姿勢が変わる。このため、原稿押さえ部材４６との接触によって原稿７０に加わる負荷の変化が小さくなる。
【００７５】
なお、上記実施の形態においては、原稿排出トレイ３９に原稿乗り上げ部５２を形成し、当該原稿乗り上げ部５２に乗り上げる原稿を原稿押さえ部材４６で上から押さえる構成としたが、本発明はこれに限らず、原稿排出トレイ３９に原稿乗り上げ部５２が形成されていないものに適用してもよい。
【符号の説明】
【００７６】
１…画像形成装置、２…画像読取装置、５…画像形成部、原稿送り装置３７、原稿排出トレイ３９、４１…繰り出しロール、４２…搬送ロール、４３…レジストロール、４４…搬送ロール、４５…排出ロール、４６…原稿押さえ部材、４７…軸部、４８…基部、４９…舌片、５０…錘体、５２…原稿乗り上げ部、７０…原稿
【図１】
2014209770.tif 000003
【図２】
2014209770.tif 000004
【図３】
2014209770.tif 000005
【図４】
2014209770.tif 000006
【図５】
2014209770.tif 000007
【図６】
2014209770.tif 000008
【図７】
2014209770.tif 000009